(57)【要約】【課題】待ち受け中における直接のＰＤＣ方式のレベル受信の断絶状態を防ぎ、Ｗ−ＣＤＭＡ方式とＰＤＣ方式との切替えの高速化と信頼性の向上と操作性の向上とを図ることが可能な複合型移動機端末を提供する。【解決手段】制御部５はＰＤＣ方式レベル測定部５１によってＰＤＣ方式上での周辺レベルの検出を行い、チャネルの切替えに移行すると判断すると、ＰＤＣ方式用無線機４による待ち受け状態を一旦停止し、Ｗ−ＣＤＭＡ方式レベル測定部５２によってＷ−ＣＤＭＡ方式上での待ち受け可能なレベルを測定する。制御部５は比較部５３によってＷ−ＣＤＭＡ方式レベル測定部５２によるＷ−ＣＤＭＡ方式上でのレベルと、ＰＤＣ方式レベル測定部５１によるＰＤＣ方式上での周辺レベルとを比較し、Ｗ−ＣＤＭＡ方式を実施可能と判断すると、Ｗ−ＣＤＭＡ方式用無線機３によるＷ−ＣＤＭＡ方式での待ち受け状態に移行する。【選択図】      図１
2004159024.tif 000002
【特許請求の範囲】
【請求項１】
時分割多重通信方式を用いた第１の基地局との間で通信するための時分割多重通信用無線手段と、符号分割多重通信方式を用いた第２の基地局との間で通信するための符号分割多重通信用無線手段とを含む複合型携帯移動機端末であって、前記時分割多重通信用無線手段の動作中に前記符号分割多重通信用無線手段を動作させて前記第２の基地局の圏内状態か否かを判断する制御手段を有することを特徴とする複合型携帯移動機端末。
【請求項２】
前記制御手段は、前記第１の基地局のエリアを乗り換える際に発生する前記時分割多重通信方式におけるチャネル切替えを利用して前記符号分割多重通信用無線手段を動作させることを特徴とする請求項１記載の複合型携帯移動機端末。
【請求項３】
前記制御手段が前記符号分割多重通信用無線手段を動作させた時に前記符号分割多重通信方式上でのレベル測定を行う測定手段を含み、前記測定手段の測定結果を基に前記第２の基地局の圏内状態か否かを判断することを特徴とする請求項１または請求項２記載の複合型携帯移動機端末。
【請求項４】
時分割多重通信方式を用いた第１の基地局との間で通信するための時分割多重通信用無線手段と、符号分割多重通信方式を用いた第２の基地局との間で通信するための符号分割多重通信用無線手段とを含む複合型携帯移動機端末の通信方式切替え制御方法であって、前記時分割多重通信用無線手段の動作中に前記符号分割多重通信用無線手段を動作させて前記第２の基地局の圏内状態か否かを判断するステップを有することを特徴とする通信方式切替え制御方法。
【請求項５】
前記第２の基地局の圏内状態か否かを判断するステップは、前記第１の基地局のエリアを乗り換える際に発生する前記時分割多重通信方式におけるチャネル切替えを利用して前記符号分割多重通信用無線手段を動作させることを特徴とする請求項４記載の通信方式切替え制御方法。
【請求項６】
前記符号分割多重通信用無線手段を動作させた時に前記符号分割多重通信方式上でのレベル測定を行うステップを含み、その測定結果を基に前記第２の基地局の圏内状態か否かを判断することを特徴とする請求項４または請求項５記載の通信方式切替え制御方法。
【請求項７】
時分割多重通信方式を用いた第１の基地局との間で通信するための時分割多重通信用無線手段と、符号分割多重通信方式を用いた第２の基地局との間で通信するための符号分割多重通信用無線手段とを含む複合型携帯移動機端末の通信方式切替え制御方法のプログラムであって、コンピュータに、前記時分割多重通信用無線手段の動作中に前記符号分割多重通信用無線手段を動作させて前記第２の基地局の圏内状態か否かを判断する処理を実行させるためのプログラム。
【発明の詳細な説明】
【０００１】
【発明の属する技術分野】
本発明は複合型携帯移動機端末及びそれに用いる通信方式切替え制御方法並びにそのプログラムに関し、特に複合型携帯移動機端末におけるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式とＰＤＣ（Ｐｅｒｓｏｎａｌ  Ｄｉｇｉｔａｌ  Ｃｅｌｌｕｌａｒ）方式との切替え制御に関する。
【０００２】
【従来の技術】
従来、Ｗ−ＣＤＭＡ方式及びＰＤＣ方式［ＴＤＭＡ（Ｔｉｍｅ  Ｄｉｖｉｓｉｏｎ  Ｍｕｌｔｉｐｌｅ  Ａｃｃｅｓｓ：時分割多元接続）方式を用いている］を用いる携帯移動機端末においては、各々個別の携帯移動機端末としてそれぞれ対応する通信方式の基地局と、移動通信システムを構築している。
【０００３】
この２つの携帯移動機端末を１つの移動機端末として実現する場合（以下、複合型携帯移動機端末とする）、携帯移動機端末への手動設定、または基地局からの端末送信データの追加パラメータを設定して伝えることによって、通信方式の切替えを行っている。
【０００４】
上記の複合型携帯移動機端末では、Ｗ−ＣＤＭＡ方式に対応する基地局及びＰＤＣ方式に対応する基地局との間でそれぞれ通信を行うための２つの無線ＣＰＵ（中央処理装置）を搭載しており、２つの無線ＣＰＵのうちの１系のみが動作するようになっている。
【０００５】
上記の基地局はそれぞれの方式毎に配置されており、２方式共に圏内となりうる箇所が存在するが、その場合でも２つの無線ＣＰＵのうちの一方がレベル受信を行い、他方がレベル受信することはない。
【０００６】
上記のような複合型携帯移動機端末としては、ＰＤＣ方式とＰＨＳ（Ｐｅｒｓｏｎａｌ  Ｈａｎｄｙ−ｐｈｏｎｅ  Ｓｙｓｔｅｍ）方式とを切替える端末等が知られている（例えば、特許文献１参照）。
【０００７】
【特許文献１】
特開２００１−２１７９２６号公報（第４〜６頁、図１）
【０００８】
【発明が解決しようとする課題】
上述した従来の複合型携帯移動機端末では、Ｗ−ＣＤＭＡ方式及びＰＤＣ方式の２つの通信方式がともに圏内となりうる箇所が存在するが、一方の通信方式の無線ＣＰＵによってレベル受信する場合に、他方の通信方式の無線ＣＰＵによってレベル受信することはないため、受信しない方の受信状態がわからない。このため、従来の複合型携帯移動機端末では、Ｗ−ＣＤＭＡ方式とＰＤＣ方式との切替えを実施する制御が必要となる。
【０００９】
そこで、本発明の目的は上記の問題点を解消し、待ち受け中における直接のＰＤＣ方式のレベル受信の断絶状態を防ぐことができ、Ｗ−ＣＤＭＡ方式とＰＤＣ方式との切替えの高速化と信頼性の向上と操作性の向上とを図ることができる複合型携帯移動機端末及びそれに用いる通信方式切替え制御方法並びにそのプログラムを提供することにある。
【００１０】
【課題を解決するための手段】
本発明による複合型携帯移動機端末は、時分割多重通信方式を用いた第１の基地局との間で通信するための時分割多重通信用無線手段と、符号分割多重通信方式を用いた第２の基地局との間で通信するための符号分割多重通信用無線手段とを含む複合型携帯移動機端末であって、前記時分割多重通信用無線手段の動作中に前記符号分割多重通信用無線手段を動作させて前記第２の基地局の圏内状態か否かを判断する制御手段を備えている。
【００１１】
本発明による通信方式切替え制御方法は、時分割多重通信方式を用いた第１の基地局との間で通信するための時分割多重通信用無線手段と、符号分割多重通信方式を用いた第２の基地局との間で通信するための符号分割多重通信用無線手段とを含む複合型携帯移動機端末の通信方式切替え制御方法であって、前記時分割多重通信用無線手段の動作中に前記符号分割多重通信用無線手段を動作させて前記第２の基地局の圏内状態か否かを判断するステップを備えている。
【００１２】
本発明による通信方式切替え制御方法のプログラムは、時分割多重通信方式を用いた第１の基地局との間で通信するための時分割多重通信用無線手段と、符号分割多重通信方式を用いた第２の基地局との間で通信するための符号分割多重通信用無線手段とを含む複合型携帯移動機端末の通信方式切替え制御方法のプログラムであって、コンピュータに、前記時分割多重通信用無線手段の動作中に前記符号分割多重通信用無線手段を動作させて前記第２の基地局の圏内状態か否かを判断する処理を実行させている。
【００１３】
すなわち、本発明の複合型携帯移動機端末は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式とＰＤＣ（Ｐｅｒｓｏｎａｌ  Ｄｉｇｉｔａｌ  Ｃｅｌｌｕｌａｒ）方式［ＴＤＭＡ（Ｔｉｍｅ  Ｄｉｖｉｓｉｏｎ  Ｍｕｌｔｉｐｌｅ  Ａｃｃｅｓｓ：時分割多元接続）方式を用いている］とを共有する携帯移動機端末において、ＰＤＣ方式上で動作中に、１度、Ｗ−ＣＤＭＡ方式へ移行させてＷ−ＣＤＭＡ方式の基地局にアクセスし、圏内状態へ移行することが可能か否かを判断する。
【００１４】
本発明の複合型携帯移動機端末では、Ｗ−ＣＤＭＡ方式への切替え制御条件として、ＰＤＣ方式中におけるチャネル切替えを利用している。そのチャネル切替えはＰＤＣ方式において、主に基地局エリアを乗り換える際のゾーン移行時に発生する。この切替え発生時に、その他の条件（主に、周辺基地局の受信レベル情報条件）を付帯するもしくは付帯させずに、Ｗ−ＣＤＭＡ方式への切替えを実施する。
【００１５】
本発明の複合型携帯移動機端末では、上記の手段を用いることによって、ＰＤＣ方式上からのＷ−ＣＤＭＡ方式への切替えを実施することが可能となる。つまり、本発明の複合型携帯移動機端末では、チャネル切替え中の状態を利用することで、待ち受け中における直接のＰＤＣ方式のレベル受信の断絶状態を防ぐことが可能となり、Ｗ−ＣＤＭＡ方式とＰＤＣ方式との切替えの高速化と信頼性の向上と操作性の向上とを図ることが可能となる。
【００１６】
【発明の実施の形態】
次に、本発明の実施例について図面を参照して説明する。図１は本発明の一実施例による複合型携帯移動機端末の構成を示すブロック図である。図１において、本発明の一実施例による複合型携帯移動機端末はアンテナ１と、アンテナ切換え器２と、Ｗ−ＣＤＭＡ方式用無線機３と、ＰＤＣ方式用無線機４と、制御部５と、記録媒体６とから構成されている。
【００１７】
Ｗ−ＣＤＭＡ方式用無線機３は符号分割多重通信受信機３１と、符号分割多重通信送信機３２と、符号分割多重通信ベースバンド部３３とから構成され、ＰＤＣ方式用無線機４は時分割多重通信受信機４１と、時分割多重通信送信機４２と、時分割多重通信ベースバンド部４３とから構成されている。
【００１８】
アンテナ１はアンテナ切換え器２に接続され、アンテナ切換え器２はＷ−ＣＤＭＡ方式用無線機３及びＰＤＣ方式用無線機４に接続され、Ｗ−ＣＤＭＡ方式用無線機３及びＰＤＣ方式用無線機４は制御部５に接続されている。制御部５はＰＤＣ方式レベル測定部５１と、Ｗ−ＣＤＭＡ方式レベル測定部５２と、比較部５３とを含んで構成され、記録媒体６に格納されたプログラム（コンピュータで実行可能なプログラム）を実行することで、上記の各部の制御を行う。
【００１９】
符号分割多重通信受信機３１及び符号分割多重通信送信機３２は符号分割多重通信ベースバンド部３３に接続されることで、Ｗ−ＣＤＭＡ方式用無線機３を構成している。同様に、時分割多重通信受信機４１及び時分割多重通信送信機４２は時分割多重通信ベースバンド部４３に接続されることで、ＰＤＣ方式用無線機４を構成している。
【００２０】
尚、本発明の一実施例による複合型携帯移動機端末はＰＤＣ方式に対応する基地局（図示せず）と、Ｗ−ＣＤＭＡ方式に対応する基地局（図示せず）とともに移動通信システムを構成している。
【００２１】
図２は本発明の一実施例による複合型携帯移動機端末におけるＰＤＣ方式とＷ−ＣＤＭＡ方式との切替え制御動作を示すフローチャートである。これら図１及び図２を参照して本発明の一実施例による複合型携帯移動機端末におけるＰＤＣ方式とＷ−ＣＤＭＡ方式との切替え制御動作について説明する。ここで、図２に示す動作は図１の制御部５が記録媒体６のプログラムを実行することで実現される。
【００２２】
以下、ＰＤＣ方式用無線機４が動作中に、Ｗ−ＣＤＭＡ方式用無線機３へ移行する場合の制御について説明する。この制御は１例であり、Ｗ−ＣＤＭＡ方式用無線機３からＰＤＣ方式用無線機４に移行する場合にも適用可能である。
【００２３】
制御部５はＰＤＣ方式用無線機４が動作して待ち受け状態にある時（図２ステップＳ１）、常に、ＰＤＣ方式レベル測定部５１によってＰＤＣ方式用無線機４からの信号を基に周辺レベルの検出を行う（図２ステップＳ２）。制御部５は比較部５３によって周辺レベル検出の結果値と待ち受け状態での自局レベルとを比較し（図２ステップＳ３）、その比較結果を基にチャネルの切替えに移行するかを判断する（図２ステップＳ４）。ここまでは、現存のＰＤＣ方式の携帯移動機端末にて通常実施されている状況である。
【００２４】
制御部５はチャネルの切替え移行とならない場合、ステップＳ１に戻ってＰＤＣ方式用無線機４による待ち受け状態を継続する。また、制御部５はチャネルの切替え移行となった場合、ＰＤＣ方式用無線機４による待ち受け状態を一旦停止し、Ｗ−ＣＤＭＡ方式用無線機３からの信号を基にＷ−ＣＤＭＡ方式レベル測定部５２によってＷ−ＣＤＭＡ方式上での待ち受け可能なレベルを測定する（図２ステップＳ５）。
【００２５】
制御部５はＷ−ＣＤＭＡ方式レベル測定部５２での測定結果がＷ−ＣＤＭＡ方式での待ち受け可能レベルにある場合（図２ステップＳ６）、比較部５３によってＷ−ＣＤＭＡ方式レベル測定部５２によるＷ−ＣＤＭＡ方式上でのレベルと、ＰＤＣ方式レベル測定部５１によるＰＤＣ方式上での周辺レベルとを比較する（図２ステップＳ７）。この場合、比較条件は変動することがある。
【００２６】
制御部５は比較部５３による比較結果からＷ−ＣＤＭＡ方式を実施可能と判断すると（図２ステップＳ８）、Ｗ−ＣＤＭＡ方式用無線機３によるＷ−ＣＤＭＡ方式での待ち受け状態に移行する（図２ステップＳ９）。
【００２７】
また、制御部５はＷ−ＣＤＭＡ方式レベル測定部５２での測定結果がＷ−ＣＤＭＡ方式での待ち受け可能レベルにない場合（図２ステップＳ６）、あるいは比較部５３による比較結果からＷ−ＣＤＭＡ方式を実施可能でないと判断すると（図２ステップＳ８）、ＰＤＣ方式用無線機４によるＰＤＣ方式上のチャネルの切替えを実施し（図２ステップＳ１０）、ステップＳ１に戻ってＰＤＣ方式用無線機４による待ち受け状態を継続する。
【００２８】
本実施例はＷ−ＣＤＭＡ方式とＰＤＣ方式との切替え制御の１例であるが、ステップＳ６においてレベル無しの場合に、ステップＳ２で測定している周辺レベルが低い場合、さらにＷ−ＣＤＭＡ方式上のレベル取得を続けることも可能である。
【００２９】
このように、本実施例では、ステップＳ４においてＰＤＣ方式用無線機４によるチャネルの切替えが発生した際に、Ｗ−ＣＤＭＡ方式でのレベル測定を実施することによって、ＰＤＣ方式上でのチャネルの切替え中の状態を利用することで、待ち受け中における直接のＰＤＣ方式のレベル受信の断絶状態を防ぐことができ、Ｗ−ＣＤＭＡ方式とＰＤＣ方式との切替えの高速化と信頼性の向上と操作性の向上とを図ることができる。
【００３０】
よって、本実施例では、Ｗ−ＣＤＭＡ方式及びＰＤＣ方式の２つの通信方式が共に圏内となりうる箇所においても、それらＷ−ＣＤＭＡ方式及びＰＤＣ方式各々の受信状態を知ることができる。
【００３１】
【発明の効果】
以上説明したように本発明は、ＰＤＣ方式を用いた第１の基地局との間で通信するためのＰＤＣ方式用無線手段と、Ｗ−ＣＤＭＡ方式を用いた第２の基地局との間で通信するためのＷ−ＣＤＭＡ方式用無線手段とを含む複合型携帯移動機端末において、ＰＤＣ方式用無線手段の動作中にＷ−ＣＤＭＡ方式用無線手段を動作させて第２の基地局の圏内状態か否かを判断することによって、待ち受け中における直接のＰＤＣ方式のレベル受信の断絶状態を防ぐことができ、Ｗ−ＣＤＭＡ方式とＰＤＣ方式との切替えの高速化と信頼性の向上と操作性の向上とを図ることができるという効果が得られる。
【図面の簡単な説明】
【図１】本発明の一実施例による複合型携帯移動機端末の構成を示すブロック図である。
【図２】本発明の一実施例による複合型携帯移動機端末におけるＰＤＣ方式とＷ−ＣＤＭＡ方式との切替え制御動作を示すフローチャートである。
【符号の説明】
１  アンテナ
２  アンテナ切換え器
３  Ｗ−ＣＤＭＡ方式用無線機
４  ＰＤＣ方式用無線機
５  制御部
６  記録媒体
３１  符号分割多重通信受信機
３２  符号分割多重通信送信機
３３  符号分割多重通信ベースバンド部
４１  時分割多重通信受信機
４２  時分割多重通信送信機
４３  時分割多重通信ベースバンド部
５１  ＰＤＣ方式レベル測定部
５２  Ｗ−ＣＤＭＡ方式レベル測定
５３  比較部
【図１】
2004159024.tif 000003
【図２】
2004159024.tif 000004